(57)【要約】【課題】ハウジングの収容部に電気部品を収容して組み立てる電動工具において、この組み立ての作業性を向上させること。【解決手段】電動工具１は、電動モータ４と、電動モータ４を冷却する遠心ファンと、遠心ファンによって起こされた風をガイドするファンガイド６０と、電気部品２４、４２、４３、４４、４５、４６、４７、４８、４９、５０、５１、５２を収容可能な収容部３３を有するハウジング８とを備えている。ファンガイド６０には、ハウジング８の収容部３３に収容されている電気部品２４、４２、４３、４４、４５、４６、４７、４８、４９、５０、５１、５２の浮き上がりを防止する蓋部６３が形成されている。【選択図】図６
2019147216.tif 000002
【特許請求の範囲】
【請求項１】
電動モータと、前記電動モータを冷却する遠心ファンと、前記遠心ファンによって起こされた風をガイドするファンガイドと、電気部品を収容可能な収容部を有するハウジングと、を備え、
前記ファンガイドには、前記ハウジングの前記収容部に収容されている前記電気部品の浮き上がりを防止する蓋部が形成されている電動工具。
【請求項２】
請求項１に記載の電動工具であって、
前記電動モータを収容するモータハウジングを備えており、
前記ファンガイドは、前記モータハウジングに圧入されている電動工具。
【請求項３】
請求項１〜２のいずれかに記載の電動工具であって、
前記蓋部の出力側の表面には、前記ハウジングの前記収容部に収容されている電気部品の一部を搭載可能な搭載部が形成されている電動工具。
【請求項４】
請求項３に記載の電動工具であって、
前記蓋部の出力側の表面は、前記電動モータの出力軸に対して直交するように形成されており、
前記搭載部は、前記ハウジングの前記収容部に収容されている電気部品の一部を前記蓋部の出力側の表面に沿わせた状態で保持可能な第１リブ体から構成されている電動工具。
【請求項５】
請求項４に記載の電動工具であって、
前記ファンガイドには、円筒部を備えており、
前記円筒部の外周面には、前記ハウジングの前記収容部に収容されている電気部品の一部とは異なる電気部品の一部を前記第１リブ体との間で保持可能な第２リブ体が形成されている電動工具。
【請求項６】
電動モータと、電気部品と、前記電気部品を収容可能な収容部を有するハウジングと、を備え、
前記ハウジングの収容部に収容されている前記電気部品の浮き上がりを防止する蓋部の表面には、前記ハウジングの前記収容部に収容されている電気部品の一部を搭載可能な搭載部が形成されている電動工具。
【発明の詳細な説明】
【技術分野】
【０００１】
この発明は、電動工具に関し、詳しくは、電気部品を収容可能な収容部を有するハウジングを備えた電動工具に関する。
【背景技術】
【０００２】
従来、携帯用マルノコ等の電動工具のモータハウジングには、遠心ファンの風上側の通風面積を狭めて風速を高めるためのファンガイドが収容されている。ここで、下記特許文献１には、図１４に示すように、電気部品（例えば、コントローラ１２４、リード線、接続端子等（いずれも図示しない））を収容可能なコントローラケース部の収容部１３３の開口を塞ぎ可能な蓋部１６３を有するバッフルプレート（本発明で言う、ファンガイド）１６０を備えた卓上切断機１０１が開示されている。これにより、コントローラケース部の収容部１３３に粉塵等が入り込むことを防止できる。
【先行技術文献】
【特許文献】
【０００３】
【特許文献１】特開２０１１−３６９３４号公報
【発明の概要】
【発明が解決しようとする課題】
【０００４】
しかしながら、上述した特許文献１の技術では、例えば、卓上切断機１０１の電動モータ１０４がブラシレスモータの場合、電気部品１２４が増加することとなっている一方で、卓上切断機１０１のコンパクト化が求められるため、結果として、狭い収容部１３３に多くの電気部品１２４を収容しなければいけなかった。そのため、卓上切断機１０１を組み立てているとき、収容した電気部品１２４が収容の復元力によって浮き上がってしまうことがあった。したがって、この組み立ての作業性が悪いものとなっていた。
【０００５】
本発明は、このような課題を解決しようとするもので、その目的は、ハウジングの収容部に電気部品を収容して組み立てる電動工具において、この組み立ての作業性を向上させることである。
【課題を解決するための手段】
【０００６】
本発明は、上記の目的を達成するためのものであって、以下のように構成されている。
請求項１に記載の発明は、電動モータと、電動モータを冷却する遠心ファンと、遠心ファンによって起こされた風をガイドするファンガイドと、電気部品を収容可能な収容部を有するハウジングとを備えた電動工具である。ファンガイドには、ハウジングの収容部に収容されている電気部品の浮き上がりを防止する蓋部が形成されている。
【０００７】
請求項１の発明によれば、電動工具を組み立てているとき、ハウジングの収容部に収容されている電気部品が収容の復元力によって浮き上がってしまうことがない。したがって、この組み立ての作業性を向上させることができる。
【０００８】
また、請求項２に記載の発明は、請求項１に記載の電動工具であって、電動モータを収容するモータハウジングを備えている。ファンガイドは、モータハウジングに圧入されている。
【０００９】
請求項２の発明によれば、モータハウジングに組み付けたファンガイドにガタが生じることを防止できる。
【００１０】
また、請求項３に記載の発明は、請求項１〜２のいずれかに記載の電動工具であって、蓋部の出力側の表面には、ハウジングの収容部に収容されている電気部品の一部を搭載可能な搭載部が形成されている。
【００１１】
請求項３の発明によれば、電気部品の一部が蓋部の表面に支持されることとなる。したがって、この電気部品が収容部の中でズレ動くことを防止できる。
【００１２】
また、請求項４に記載の発明は、請求項３に記載の電動工具であって、蓋部の出力側の表面は、電動モータの出力軸に対して直交するように形成されている。搭載部は、ハウジングの収容部に収容されている電気部品の一部を蓋部の出力側の表面に沿わせた状態で保持可能な第１リブ体から構成されている。
【００１３】
請求項４の発明によれば、この搭載した電気部品の一部が蓋部の表面から浮き上がることを防止できる。
【００１４】
また、請求項５に記載の発明は、請求項４に記載の電動工具であって、ファンガイドには、円筒部を備えている。円筒部の外周面には、ハウジングの収容部に収容されている電気部品の一部とは異なる電気部品の一部を第１リブ体との間で保持可能な第２リブ体が形成されている。
【００１５】
請求項５の発明によれば、円筒部の外周面を利用して電気部品の一部とは異なる電気部品の一部を挟み込んで保持できる。
【００１６】
また、請求項６に記載の発明は、電動モータと、電気部品と、電気部品を収容可能な収容部を有するハウジングとを備えた電動工具である。ハウジングの収容部に収容されている電気部品の浮き上がりを防止する蓋部の表面には、ハウジングの収容部に収容されている電気部品の一部を搭載可能な搭載部が形成されている。
【００１７】
請求項６の発明によれば、ファンガイドの存在に関係なく（ファンガイドが無くても）、請求項１と同様に、電動工具の組み立ての作業性を向上させることができる。
【図面の簡単な説明】
【００１８】
【図１】実施形態に係る携帯用マルノコの右側面図である。
【図２】図１の携帯用マルノコの左側面図である。
【図３】図１の携帯用マルノコの正面図である。
【図４】図１の携帯用マルノコの背面図である。
【図５】図１の携帯用マルノコの平面図である。
【図６】図１の携帯用マルノコのハンドルハウジングの内部を示す図である。
【図７】図６において、ファンガイドを取り外した状態を示す図である。
【図８】図７のファンガイドの斜視図である。
【図９】図８のファンガイドを異なる角度から見た斜視図である。
【図１０】図８のファンガイドの平面図である。
【図１１】図８のファンガイドの正面図である。
【図１２】図８のファンガイドの側面図である。
【図１３】図１の携帯用マルノコのブロック図である。
【図１４】従来技術の電動工具の断面図である。
【発明を実施するための形態】
【００１９】
以下、本発明を実施するための形態を、図１〜１３を用いて説明する。なお、以下の説明にあたって、『電動工具』と『ハウジング』との例として、『携帯用マルノコ１』と『ハンドルハウジング８』を説明することとする。また、以下の説明にあたって、上、下、前、後、左、右とは、上述した図に記載した、上、下、前、後、左、右の方向を示している。すなわち、前の方向が、携帯用マルノコ１の切断方向（進行方向）を示している。
【００２０】
はじめに、図１〜７を参照して、携帯用マルノコ１の全体構成を説明していく。この携帯用マルノコ１は、その平面視が矩形状のベース２と、このベース２の上に電動モータ４によって回転駆動する円盤形状の鋸刃６を備えたマルノコ本体３とから構成されている（図１〜５参照）。このマルノコ本体３は、電動モータ４を収容したモータハウジング７と、このモータハウジング７に連結されるハンドルハウジング８と、鋸刃６の上部を覆う固定カバー９とから構成されている。鋸刃６は、固定カバー９内で電動モータ４の出力軸と平行に軸支されて出力軸（いずれも図示しない）から回転伝達される出力部としての回転軸１０の先端へ直交するように連結されている。
【００２１】
ハンドルハウジング８には、電源部１１が設けられ、この電源部１１には、バッテリパック１２がスライドによって取り付け取り外し可能となっている。このスライドの取り付け方向は、左側から右側へとなっており、このスライドの取り外し方向は、右側から左側へとなっている。６ａは、常態で鋸刃６の下方部分を覆う可動カバーである。固定カバー９は、ベース２における切断方向の前方向が平面視Ｕ字形状のブラケット１３に支軸１４によって上下方向に揺動可能に枢着されている。
【００２２】
このブラケット１３は、ベース２上に立設されて円弧形状のガイド溝１６を有するアンギュラプレート１５に摘み部１８を備えた摘みネジ１７によってガイド溝１６に沿った任意の位置で固定可能に支持軸１５ａを介して連結されている。一方、固定カバー９の後方側でも、円弧形状のガイド溝１６を有するアンギュラプレート１５がベース２上に立設されており、このアンギュラプレート１５に、固定カバー９の側方で前方へ向かって円弧形状にカーブするデプスガイド１９が、レバー２０によってガイド溝に沿った任意の位置で固定可能に連結されている。
【００２３】
よって、マルノコ本体３は、デプスガイド１９に沿った固定カバー９の結合位置（クランプ位置）を変更することで、支軸１４を中心として揺動させて、鋸刃６のベース２下方への突出量（切込量）が調整可能となる。また、前後のアンギュラプレート１５に対するブラケット１３の固定位置を変更することで、マルノコ本体３を、鋸刃６がベース２と直交する直角位置から右側へ傾動して鋸刃６がベース２と４５°の角度で傾斜する最大傾斜位置までの任意の傾斜角度で固定可能となっている。なお、ベース２の前端には、鋸刃６の直角（０°）位置と４５°位置で側縁が各々鋸刃６の延長上に位置する切込み２１が形成されており、木材（図示しない）の上面に表記した墨線に切込み２１の側縁を合わせることで、墨線に沿った切断が容易に可能となっている。
【００２４】
一方、ハンドルハウジング８は、左右に２つ割りの半割ハウジング２２をネジ２３によって組み付けて形成されるループ形状で、その上側が一方の手で把持可能な把持部８ａとなっている。このハンドルハウジング８内の下側には、収容部３３が形成されている（図６〜７参照）。この収容部３３には、スイッチング素子、マイコン等を有するコントローラ２４と、後述する各種リード線４２、４３、４４、４５、４６、４７、４８、４９と、後述する各種接続端子５０、５１、５２とが収容されている。なお、コントローラ２４は、収容部３３の内面に形成された複数の位置決めリブ２５によってずれ動くことがないように収容されている。
【００２５】
これらコントローラ２４と、各種リード線４２、４３、４４、４５、４６、４７、４８、４９と、各種接続端子５０、５１、５２とが、特許請求の範囲に記載の「電気部品」に相当する。２８は、押し込み操作によってハンドルハウジング８に組み付けられているスイッチ２８ａをＯＮさせるトリガである。２９は、トリガ２８が押し込まれた状態で左右何れかに押し操作することで、スイッチ２８ａのＯＮ状態をロックするロックオンボタンである。トリガ２８を再度押し操作することで、スイッチ２８ａのＯＮ状態を解除することができる。
【００２６】
ここで、この携帯用マルノコ１の電源回路４０について説明する（図１３参照）。スイッチ２８ａの一端とバッテリパック１２の一端（例えば、＋端子）とは、第１リード線４１を介して電気的に接続されている。また、スイッチ２８ａの他端とコントローラ２４とは、第２リード線４２を介して電気的に接続されている。また、バッテリパック１２の他端（例えば、−端子）とは、第３リード線４３を介して電気的に接続されている。
【００２７】
また、コントローラ２４と電動モータ４とは、第４リード線４４と第７リード線４７とを介して電気的に接続されている。この第４リード線４４と第７リード線４７とは、第１接続端子５０を介して着脱可能となっている。これと同様に、コントローラ２４と電動モータ４とは、第５リード線４５と第８リード線４８とを介して電気的に接続されている。この第５リード線４５と第８リード線４８とは、第２接続端子５１を介して着脱可能となっている。
【００２８】
また、これと同様に、コントローラ２４と電動モータ４とは、第６リード線４６と第９リード線４９とを介して電気的に接続されている。この第６リード線４６と第９リード線４９とは、第３接続端子５２を介して着脱可能となっている。このように各種接続端子５０、５１、５２を介することにより、電動モータ４とコントローラ２４とを電気的に切り離すことができる。そのため、電動モータ４の組み付け作業や取り換え作業を簡便に実施できる。電源回路４０は、このように構成されている。
【００２９】
図１〜５に戻って、３０は、略逆Ｊ字状に形成されたフックである。このフック３０の基端側（根元側）は、ネジ３１によって固定カバー９に組み付けられたフック座３２に対して回転可能に組み付けられている。これにより、切断作業を中断するとき、各種の引っ掛け部材（例えば、脚立等）にフック３０を引っ掛けて携帯用マルノコ１を一時的に保管できる。また、フック座３２に対してフック３０の向きを回転させることができるため、各種の引っ掛け部材の形状に対応させて（フック３０の向きを調節して）、フック３０を引っ掛けることができる。
【００３０】
なお、図６〜７から明らかなように、電動モータ４を収容したモータハウジング７とハンドルハウジング８の収容部３３とは、前後に隣り合う位置関係となっている。このモータハウジング７には、収容した電動モータ４の遠心ファンによって起こされた風（いずれも図示しない）をガイドするファンガイド６０が組み付けられている。ここで、このファンガイド６０について詳述する。
【００３１】
このファンガイド６０は、遠心ファンの風上側の通風面積を狭めて風速を高めるための貫通孔６１ａを有する絞り部６１と、この絞り部６１の外縁から軸方向に向けて張り出す円筒部６２と、この円筒部６２の外縁から径方向に向けて張り出す蓋部６３とから構成されている（図８〜１２参照）。この蓋部６３は、ハンドルハウジング８の収容部３３に収容されているコントローラ２４と、各種リード線４２、４３、４４、４５、４６、４７、４８、４９と、各種接続端子５０、５１、５２との浮き上がりを防止可能（抑え可能）に形成されている。
【００３２】
この浮き上がりとは、携帯用マルノコ１を組み立てているとき、ハンドルハウジング８の収容部３３に収容されているコントローラ２４と、各種リード線４２、４３、４４、４５、４６、４７、４８、４９と、各種接続端子５０、５１、５２とが収容の復元力によって浮き上がってしまうことである。
【００３３】
この円筒部６２の外周面には、等間隔（この形態では、９０°間隔）を成すように４本のガタ詰めリブ６２ａが形成されている。また、蓋部６３の出力側（電動モータ４の出力軸の出力側）の表面６４は、電動モータ４の出力軸に対して直交する平面となっている。この表面６４には、平面視において、略Ｔ字状の第１リブ６４ａと、略クランク状の第２リブ６４ｂと、略Ｉ字状の第３リブ６４ｃとが形成されている（図１０参照）。なお、この第３リブ６４ｃは、蓋部６３の表面６４からだけでなく、円筒部６２の外周面からも形成された格好となっている。
【００３４】
この第１リブ６４ａと第２リブ６４ｂとは、収容部３３に収容されている２本のリード線４４、４７の一部を蓋部６３の表面６４に沿わせた状態で挟み込んで保持可能な第１隙６５を有するように形成されている。そのため、この収容部３３に収容されている２本のリード線４４、４７の一部を蓋部６３の表面６４に沿わせ、この沿わせた２本のリード線４４、４７の一部を第１リブ６４ａと第２リブ６４ｂとの間の第１隙６５に挟み込んで保持できる（図６参照）。このように保持できると、蓋部６３の出力側の表面６４に２本のリード線４４、４７の一部と第１接続端子５０とを搭載できることとなる。
【００３５】
これと同様に、この第２リブ６４ｂと第３リブ６４ｃとは、収容部３３に収容されている２本のリード線４５、４８の一部を蓋部６３の表面６４に沿わせた状態で挟み込んで保持可能な第２隙６６を有するように形成されている。そのため、この収容部３３に収容されている２本のリード線４５、４８の一部を蓋部６３の表面６４に沿わせ、この沿わせた２本のリード線４５、４８の一部を第２リブ６４ｂと第３リブ６４ｃとの間の第２隙６６に挟み込んで保持できる（図６参照）。このように保持できると、蓋部６３の出力側の表面６４に２本のリード線４５、４８の一部と第２接続端子５１とを搭載できることとなる。
【００３６】
これら第１リブ６４ａと第２リブ６４ｂとが、特許請求の範囲に記載の「第１リブ体」に相当する。また、この第３リブ６４ｃが、特許請求の範囲に記載の「第２リブ体」に相当する。ファンガイド６０は、このように構成されている。このように構成されているファンガイド６０をモータハウジング７に組み付けると、円筒部６２の４本のガタ詰めリブ６２ａがモータハウジング７の内周面による弾性変形によって潰されることとなる。この記載が、特許請求の範囲に記載の「前記ファンガイドは、前記モータハウジングに圧入されている」に相当する。
【００３７】
なお、上述したような電源回路４０が形成されているため、トリガ２８を押し込む操作を行うと、スイッチ２８ａがＯＮしてバッテリパック１２から電動モータ４に電源が給電されることとなる。これにより、電動モータ４が駆動するため、出力軸が回転することとなる。したがって、鋸刃６が回転して木材を切断できる。携帯用マルノコ１は、このように構成されている。
【００３８】
本発明の実施形態に係る携帯用マルノコ１は、上述したように構成されている。この構成によれば、ファンガイド６０は、絞り部６１と円筒部６２と蓋部６３とから構成されている。この蓋部６３は、ハンドルハウジング８の収容部３３に収容されているコントローラ２４と、各種リード線４２、４３、４４、４５、４６、４７、４８、４９と、各種接続端子５０、５１、５２との浮き上がりを防止可能（抑え可能）に形成されている。そのため、携帯用マルノコ１を組み立てているとき、ハンドルハウジング８の収容部３３に収容されているコントローラ２４と、各種リード線４２、４３、４４、４５、４６、４７、４８、４９と、各種接続端子５０、５１、５２が収容の復元力によって浮き上がってしまうことがない。したがって、この組み立ての作業性を向上させることができる。また、これらコントローラ２４と、各種リード線４２、４３、４４、４５、４６、４７、４８、４９と、各種接続端子５０、５１、５２は、電動モータ４の遠心ファンの傍に収容されることとなる。そのため、これらコントローラ２４と、各種リード線４２、４３、４４、４５、４６、４７、４８、４９と、各種接続端子５０、５１、５２を効率よく冷却できる。
【００３９】
また、この構成によれば、ファンガイド６０をモータハウジング７に組み付けると、円筒部６２の４本のガタ詰めリブ６２ａがモータハウジング７の内周面による弾性変形によって潰されることとなる。そのため、モータハウジング７に組み付けたファンガイド６０にガタが生じることを防止できる。
【００４０】
また、この構成によれば、蓋部６３の出力側の表面６４に２本のリード線４４、４７の一部と第１接続端子５０とを搭載可能となっている。また、蓋部６３の出力側の表面６４に２本のリード線４５、４８の一部と第２接続端子５１とを搭載可能となっている。そのため、これら４本のリード線４４、４５、４７、４８の一部と、第１接続端子５０と、第２接続端子５１とが蓋部６３の表面６４に支持されることとなる。したがって、これら４本のリード線４４、４５、４７、４８の一部と、第１接続端子５０と、第２接続端子５１とが収容部３３の中でズレ動くことを防止できる。
【００４１】
また、この構成によれば、蓋部６３の出力側の表面６４に２本のリード線４４、４７の一部と、第１接続端子５０とを搭載するとき、この２本のリード線４４、４７の一部を蓋部６３の表面６４に沿わせることができる。そのため、これら搭載した２本のリード線４４、４７の一部が蓋部６３の表面６４から浮き上がることを防止できる。このことは、残りの２本のリード線４５、４８においても同様である。
【００４２】
また、この構成によれば、収容部３３に収容されている２本のリード線４５、４８の一部を挟み込んで保持する第３リブ６４ｃは、蓋部６３の表面６４からだけでなく、円筒部６２の外周面からも形成された格好となっている。そのため、この円筒部６２の外周面を利用して２本のリード線４５、４８の一部を挟み込んで保持できる。
【００４３】
上述した内容は、あくまでも本発明の一実施の形態に関するものであって、本発明が上記内容に限定されることを意味するものではない。
【００４４】
実施形態では、『電動工具』の例として、『携帯用マルノコ１』を説明した。しかし、これに限定されるものでなく、電気部品を収容可能な収容部３３を有するハンドルハウジング８を備えた電動工具であれば、『各種の電動工具』であっても構わない。もちろん、『屋外用の電動工具』であっても構わない。また、実施形態では、携帯用マルノコ１の電源として、バッテリパック１２から給電される形態を説明した。しかし、これに限定されるものでなく、各種の電源（例えば、ＡＣ１００Ｖ）に接続された電源ケーブルから給電される形態でも構わない。
【００４５】
また、実施形態では、『ハウジング』の例として、『ハンドルハウジング８』を説明した。しかし、これに限定されるものでなく、モータハウジング７、ギヤハウジング（図示しない）等の『各種のハウジング』であっても構わない。
【００４６】
また、実施形態では、『第１リブ体』の例として、『第１リブ６４ａと第２リブ６４ｂ』を説明した。すなわち、『第１リブ体』は、『２つのリブ（第１リブ６４ａと第２リブ６４ｂ）』から構成されている形態を説明した。しかし、これに限定されるものでなく、『第１リブ体』は、『１つのリブ』から構成されている形態でも構わない。その場合、この１つのリブに第１隙６５に相当する溝等を有することとなる。
【００４７】
また、実施形態では、ファンガイド６０は、絞り部６１と円筒部６２と蓋部６３とから構成されている形態を説明した。すなわち、蓋部６３は、ファンガイド６０に設けられている形態を説明した。しかし、これに限定されるものでなく、蓋部６３は、ファンガイド６０に設けられることなく、単品で存在していても構わない。その場合でも、蓋部６３は、ファンガイド６０に設けられている形態と同様の作用効果を有することとなる。すなわち、ファンガイド６０の存在に関係なく（ファンガイド６０が無くても）、実施形態と同様に、携帯用マルノコ１の組み立ての作業性を向上させることができる。
【符号の説明】
【００４８】
１      携帯用マルノコ（電動工具）
２      ベース
３      マルノコ本体
４      電動モータ
６      鋸刃
６ａ    可動カバー
７      モータハウジング
８      ハンドルハウジング（ハウジング）
８ａ    把持部
９      固定カバー
１０    回転軸
１１    電源部
１２    バッテリパック
１３    ブラケット
１４    支軸
１５    アンギュラプレート
１５ａ  支持軸
１６    ガイド溝
１７    摘みネジ
１８    摘み部
１９    デプスガイド
２０    レバー
２１    切込み
２２    半割ハウジング
２３    ネジ
２４    コントローラ（電気部品）
２５    位置決めリブ
２８    トリガ
２８ａ  スイッチ
２９    ロックオンボタン
３０    フック
３１    ネジ
３２    フック座
３３    収容部
４０    電源回路
４１    第１リード線
４２    第２リード線（電気部品）
４３    第３リード線（電気部品）
４４    第４リード線（電気部品）
４５    第５リード線（電気部品）
４６    第６リード線（電気部品）
４７    第７リード線（電気部品）
４８    第８リード線（電気部品）
４９    第９リード線（電気部品）
５０    第１接続端子（電気部品）
５１    第２接続端子（電気部品）
５２    第３接続端子（電気部品）
６０    ファンガイド
６１    絞り部
６１ａ  貫通孔
６２    円筒部
６２ａ  ガタ詰めリブ
６３    蓋部
６４    表面
６４ａ  第１リブ（第１リブ体）
６４ｂ  第２リブ（第１リブ体）
６４ｃ  第３リブ（第２リブ体）
６５    第１隙
６６    第２隙
【図１】
2019147216.tif 000003
【図２】
2019147216.tif 000004
【図３】
2019147216.tif 000005
【図４】
2019147216.tif 000006
【図５】
2019147216.tif 000007
【図６】
2019147216.tif 000008
【図７】
2019147216.tif 000009
【図８】
2019147216.tif 000010
【図９】
2019147216.tif 000011
【図１０】
2019147216.tif 000012
【図１１】
2019147216.tif 000013
【図１２】
2019147216.tif 000014
【図１３】
2019147216.tif 000015
【図１４】
2019147216.tif 000016